(57)【要約】【課題】色座標を微細に調整できるプラズマディスプレイパネルの階調表現方法及びプラズマディスプレイパネルの駆動装置を提供する。【解決手段】色座標を調整するために外部調整信号を印加して輝度係数を一段階ずつ変化させる時ディザリングアルゴリズムを適用して入力映像信号の階調レベルをさらに微細な階調レベル（０．２５ビットずつ）段階に変換するようにする。この時、前記ディザリングアルゴリズムを時間方向に互いに逆特性になるようにすることによって一定のパターンの発生を防止できる。これによって、輝度係数を一段階ずつ変化させた場合ディザリングアルゴリズムを適用してガンマ補正部２００の入力レベルをさらに低い段階に変換させることによって色座標調整をさらに微細に調整できる特有の効果がある。【選択図】図１
2005128534.tif 000002
【特許請求の範囲】
【請求項１】
外部から入力される映像信号に対応してプラズマディスプレイパネルに表示される各フレームの画像を複数のサブフィールドに分け、このサブフィールド等の組み合わせによって階調を表示して前記映像信号に対応される映像を表示するプラズマディスプレイパネルの階調表現方法において、
（ａ）第１外部調整信号を印加して輝度係数を一段階ずつ変化させることによって前記入力映像信号の階調レベルにディザリングアルゴリズムを適用して前記階調レベルを変化する段階と、
（ｂ）前記段階（ａ）でディザリングアルゴリズムを適用して変換された入力映像信号の階調レベルをガンマ補正処理する段階と、
（ｃ）前記ガンマ補正された映像信号データの下位ビットを誤差とみなして隣接各画素または所定の周辺画素に前記誤差を拡散させる段階と、
（ｄ）前記段階（ｃ）で誤差拡散処理された映像信号データに対応される映像が前記プラズマディスプレイパネルに表示されるように制御する段階と、
を有することを特徴とするプラズマディスプレイパネルの階調表現方法。
【請求項２】
前記段階（ａ）で、前記ディザリングアルゴリズムはＮ×Ｎ空間ディザリングアルゴリズムであることを特徴とする、請求項１に記載のプラズマディスプレイパネルの階調表現方法。
【請求項３】
前記段階（ａ）で、前記ディザリングアルゴリズムが２×２空間ディザリングアルゴリズムであり前記輝度係数を一段階ずつ変換させることによって前記階調レベルが０．２５ビットずつ変わることを特徴とする、請求項１または請求項２に記載のプラズマディスプレイパネルの階調表現方法。
【請求項４】
前記ディザリングアルゴリズムを画素に対して時間方向に互いに逆特性になるように適用し、
前記時間方向は複数のフレームによって特定され、前記複数のフレーム各々に適用されるディザリングアルゴリズムを隣接するフレームに対して互いに逆特性になるように適用することを特徴とする、請求項１または請求項２に記載のプラズマディスプレイパネルの階調表現方法。
【請求項５】
前記段階（ｂ）の後、第２外部調整信号を印加することによって前記ガンマ補正された映像信号データの階調レベル値を利得調整により変化させるコントラスト係数調整段階をさらに有することを特徴とする、請求項１に記載のプラズマディスプレイパネルの階調表現方法。
【請求項６】
入力映像信号に対応してプラズマディスプレイパネルに表示される各フレームの画像を複数のサブフィールドに分け、このサブフィールドの組み合わせによって階調を表示して前記映像信号に対応される映像を表示するプラズマディスプレイパネルの駆動装置において、
第１外部調整信号が印加されて輝度係数が一段階ずつ変化した場合前記入力映像信号の階調レベルにディザリングアルゴリズムを適用して前記階調レベルを変化させる輝度係数調整部と、
前記輝度係数調整部でディザリングアルゴリズムが適用されて変化した入力映像信号の階調レベルをガンマ補正処理するガンマ補正部と、
前記ガンマ補正部によってガンマ補正された映像信号データの下位ビットを誤差とみなして隣接画素または所定の周辺画素に前記誤差を拡散させる誤差拡散部と、
前記誤差拡散部で生成される誤差拡散した映像データに対応されるサブフィールド配列構造を生成し、生成されたサブフィールド配列に基づいて制御信号を生成して前記プラズマディスプレイパネルに印加する維持・走査パルス駆動制御部と、
を有することを特徴とするプラズマディスプレイパネルの駆動装置。
【請求項７】
第２外部調整信号が印加されることによって前記ガンマ補正部でガンマ補正された映像信号データの階調レベルの大きさ（ｇａｉｎ）を調整してコントラスト係数を調整するコントラスト係数調整部をさらに有することを特徴とする、請求項６に記載のプラズマディスプレイパネルの駆動装置。
【請求項８】
前記ディザリングアルゴリズムはＮ×Ｎ空間ディザリングアルゴリズムであることを特徴とする、請求項６または請求項７に記載のプラズマディスプレイパネルの駆動装置。
【請求項９】
前記ディザリングアルゴリズムは２×２空間ディザリングアルゴリズムであり、前記輝度係数が一段階ずつ変わることによって前記階調レベルが０．２５段階ずつ変わることを特徴とする、請求項８に記載のプラズマディスプレイパネルの駆動装置。
【請求項１０】
前記ディザリングアルゴリズムは画素に対して時間方向に互いに逆特性であり、前記時間方向は複数のフレームによって特定され、前記複数のフレーム各々に適用されるディザリングアルゴリズムを隣接するフレームに対して互いに逆特性になるように適用することを特徴とする、請求項８に記載のプラズマディスプレイパネルの駆動装置。
【請求項１１】
前記輝度係数調整部に入力される映像信号のビットより前記輝度係数調整部に出力される映像信号のビットがさらに大きいものを特徴とする、請求項６に記載のプラズマディスプレイパネルの駆動装置。
【発明の詳細な説明】
【技術分野】
【０００１】
本発明はプラズマディスプレイパネル（ＰＤＰ）の階調表現方法及びプラズマディスプレイパネルの駆動装置に関し、特に色座標調整を向上させるプラズマディスプレイパネルの階調表現方法及びプラズマディスプレイパネルの駆動装置に関する。
【背景技術】
【０００２】
最近、液晶表示装置（ＬＣＤ）、電界放出表示装置（ＦＥＤ）、プラズマディスプレイパネルなどの平面表示装置が活発に開発されている。これらの平面表示装置の中でプラズマディスプレイパネルは他の平面表示装置に比べて輝度及び発光効率が高くて視野角が広いという長所がある。従って、プラズマディスプレイパネルは４０インチ以上の大型表示装置の分野で従来の陰極線管（ＣＲＴ）を代替する表示装置として脚光を浴びている。
【０００３】
前記プラズマディスプレイパネルは気体放電によって生成されたプラズマを用いて文字または映像を表示する平面表示装置であって、その大きさによって数十から数百万個以上の画素がマトリックス形態に配列されている。このようなプラズマディスプレイパネルは印加される駆動電圧波形の形態と放電セルの構造によって直流型と交流形に区分される。
【０００４】
前記直流型プラズマディスプレイパネルは、電極が放電空間に絶縁されないまま露出されていて電圧が印加される間は継続して電流が放電空間に流れるので、このために電流制限用の抵抗を要する短所がある。反面、交流型プラズマディスプレイパネルでは、電極を誘電体層が覆っているので自然な直列キャパシタンス成分の形成で電流が制限されると共に放電時のイオン衝撃から電極が保護されるので直流型に比べて寿命が長い長所がある。
【０００５】
図４は交流型プラズマディスプレイパネルの一部斜視図である。図４に示したように、第１のガラス基板１上に誘電体層２及び保護膜３で覆われた走査電極４と維持電極５が対になって平行に形成される。第２のガラス基板６上には絶縁体層７で覆われた複数のアドレス電極８が形成される。隣り合うアドレス電極８の間にある絶縁体層７上にはアドレス電極８と平行に隔壁９が形成されており、絶縁体層７の表面及び隔壁９の両側面に蛍光体１０が形成されている。第１と第２のガラス基板１、６は、走査電極４及び維持電極５とアドレス電極８が直交するように放電空間１１を隔てて対向配置されている。対になっている走査電極４及び維持電極５とアドレス電極８との交差部にある放電空間が放電セル１２を形成する。
【０００６】
このような、プラズマディスプレイパネルの製品出荷時に良／不良を判断する基準の一つとして目標色座標の偏差範囲がある。つまり、特定の色信号を入力して、プラズマディスプレイパネルに表示しようとする目標色座標と実際の製品で測定される色座標との差を用い、製品の良／不良を判断する。目標色座標を満足させるために輝度及びコントラスト係数調整部があって、これを調整して各製品の色座標を調整するが、輝度調整による色座標のズレが大きく、製品不良率を高める一因であった。
【０００７】
図５は従来のプラズマディスプレイパネルに使われている色座標調整用の一部ロジック機能を大略的に示すブロック図である。図６は図５に示した輝度係数調整部１０とコントラスト係数調整部３０の概念を示す図である。
【０００８】
図５に示したように、従来のプラズマディスプレイパネルで色座標を調整するブロックは輝度係数調整部１０、ガンマ補正部２０、コントラスト係数調整部３０を含む。
【０００９】
輝度係数調整部１０は、左側から入力される映像信号を、下から入力される外部調整信号（製品を製作した後、色座標を調整するために印加する信号）によって、所定オフセット値以上になるように調整する。つまり、図６の（ａ）に示すように、輝度係数調整部１０は、入力映像信号の階調値がオフセット値未満の場合にはオフセット値以上になるように一括的に調整する。もし、所定オフセット値が階調レベル３の場合には、階調レベル３未満である０、１、２階調の場合に階調レベル３になるように調整する。
【００１０】
ガンマ補正部２０は、入力映像信号ｎビット（一般に８ビット）を、逆ガンマ曲線を用いてｍビット（ｍ≧ｎ）（一般に１２ビット）の映像信号になるよう、内挿的に補正する。この時、前記ガンマ補正部２０は、パネルの特性に応じてガンマ補正するパネルガンマと、入力される映像特性によってガンマ補正する映像ガンマ、の両方の補正機能を全て含む。
【００１１】
コントラスト係数調整部３０は、ガンマ補正部２０から出力される映像信号データの出力レベルを、前記外部調整信号により利得調整する。つまり、図６の（ｂ）に示したように映像信号データの振幅を調整する。
【００１２】
この時、図５のような色座標調整方式では、輝度係数調整部１０に外部調整信号を印加して輝度係数を一段階ずつ増加／減少させる操作があるが、この場合、輝度係数調整部１０の出力レベル（ガンマ補正部の入力レベルを意味する）も一レベルずつ増加／減少する。例えば、入力映像信号レベルが３４の場合に輝度係数を一段階ずつ増加／減少させると、３４±１、３４±２、３４±３・・・のように輝度係数調整部１０の出力レベルが変わる。
【００１３】
図７は、図５のような従来型色座標調整ブロックを用いて、輝度係数調整部１０によって輝度係数を一段階ずつ増加／減少させてガンマ補正部２０の入力レベルを一段階ずつ変化させた時の、ガンマ補正部２０の出力データと色座標を示す図面である。例えば、ガンマ表の入力階調が３２から３１に変化すると、出力階調が１８から１７になり、色座標のｙ値は２９６から３１２になって、差が１６に達する。ここで、色座標（ｘ、ｙ）の表示単位は（１／１０００）である。図７に示したように輝度係数を一段階ずつ増加または減少させた場合、ガンマ補正部２０の出力値も一段階変化して、これに伴う色座標変化が０．００７〜０．０１６の範囲で発生し、この変化を打ち消すための色座標変換調整が０．０１０以上必要になって、色座標調整が困難という問題が発生する。つまり、色座標の微細調整ができなくて製品出荷時の不良率を高める。
【発明の開示】
【発明が解決しようとする課題】
【００１４】
本発明が目的とする技術的課題は、前記従来技術の問題点を解決するためのものであって、本発明の目的は、色座標を微細に調整できるプラズマディスプレイパネルの階調表現方法及びプラズマディスプレイパネルの駆動装置を提供することにある。
【課題を解決するための手段】
【００１５】
前記目的を達成するための本発明の特徴によるプラズマディスプレイパネルの階調表現方法は、外部から入力される映像信号に対応してプラズマディスプレイパネルに表示される各フレームの画像を複数のサブフィールドに分け、このサブフィールド等の組み合わせによって階調を表示して前記入力映像信号に対応する映像を表示するプラズマディスプレイパネルの階調表現方法において、（ａ）第１外部調整信号を印加して輝度係数を一段階ずつ変化させる場合に、前記入力映像信号の階調レベルにディザリングアルゴリズムを適用して前記階調レベルを変化させる段階；（ｂ）前記段階（ａ）でディザリングアルゴリズムを適用して変化させた入力映像信号の階調レベルをガンマ補正処理する段階；（ｃ）前記ガンマ補正された映像信号データの下位ビットを誤差とみなして隣接各画素または所定の周辺画素に前記誤差を拡散させる段階；（ｄ）前記段階（ｃ）で誤差拡散処理された映像信号データに対応する映像が前記プラズマディスプレイパネルに表示されるように制御する段階を含む。この時、前記段階（ｂ）の後、第２外部調整信号を印加することによって前記ガンマ補正された映像信号データの階調レベル値を利得調整により変化させるコントラスト係数調整段階をさらに含むことができる。
【００１６】
本発明の他の特徴によるプラズマディスプレイパネルの駆動装置は、入力映像信号に対応してプラズマディスプレイパネルに表示される各フレームの画像を複数のサブフィールドに分け、このサブフィールドの組み合わせによって階調を表示して前記映像信号に対応される映像を表示するプラズマディスプレイパネルの駆動装置において、第１外部調整信号が印加されて輝度係数が一段階ずつ変換された場合前記入力映像信号の階調レベルにディザリングアルゴリズムを適用して前記階調レベルを変化させる輝度係数調整部；前記輝度係数調整部でディザリングアルゴリズムが適用されて変化した入力映像信号の階調レベルをガンマ補正処理するガンマ補正部；前記ガンマ補正部によってガンマ補正された映像信号データの下位ビットを誤差とみなして隣接画素または所定の周辺画素に前記誤差を拡散させる誤差拡散部；及び前記誤差拡散部で生成される誤差拡散した映像データに対応するサブフィールド配列構造を生成し、生成されたサブフィールド配列に基づいて制御信号を生成して前記プラズマディスプレイパネルに印加する維持・走査パルス駆動制御部を含む。また、前記プラズマディスプレイパネルの駆動装置は第２外部調整信号が印加されることによって前記ガンマ補正部でガンマ補正された映像信号データの階調レベル値を調整してコントラスト係数を調整するコントラスト係数調整部をさらに含むこができる。
【発明の効果】
【００１７】
以上説明したように、本発明によれば輝度係数を一段階ずつ変化させた場合、ディザリングアルゴリズムを適用して、ガンマ補正部の入力レベルをさらに微細な段階に変化させることによって色座標調整をさらに微細に調整できる特有の効果がある。また、これによって微細階調に対する表現力を一層高めることができる。
【発明を実施するための最良の形態】
【００１８】
以下、添付した図面を参照して本発明の実施例に対して本発明の属する技術分野における通常の知識を有する者が容易に実施できるように詳細に説明する。しかし、本発明は多様な相異した形態で実現できるものであり、ここで説明する実施例に限定されない。なお、図面から本発明を明確に説明するために説明と関係ない部分は省略した。明細書全体を通じて類似した部分については同一な図面符号を付けた。
【００１９】
次に本発明の実施例に対して添付した図面を参照して詳細に説明する。
【００２０】
図１は本発明の実施例によるプラズマディスプレイパネルで色座標を微細に調整できるプラズマディスプレイパネルの駆動装置のブロック図である。図１に示したように、本発明の実施例による色座標を微細に調整できるプラズマディスプレイパネルの駆動装置は輝度係数調整部１００、ガンマ補正部２００、コントラスト係数調整部３００、誤差拡散部４００、メモリ制御部５００、アドレス駆動部６００、維持・走査パルス駆動制御部７００、維持・走査パルス駆動部８００を含み、前記輝度係数調整部１００はディザリング部１１０を含む。この時、前記ディザリング部１１０は輝度係数調整部１００に含まれることができるだけでなく別途に輝度係数調整部１００とガンマ補正部２００の間に位置できる。
【００２１】
前記輝度係数調整部１００は左側から入力される映像信号を、下から入力される外部調整信号（製品を製作した後色座標を調整するために印加する信号）によって映像入力レベルを所定オフセット値に従って調整する。これは前記図６（ａ）に示した場合と同様に輝度係数調整部１００は、入力映像信号の階調値が所定オフセット値未満の場合には所定オフセット値以上に一括的に調整する。この所定オフセット値は、アナログ信号のペデスタル・レベルのようなものである。
【００２２】
ここで、輝度調整というのは、映像信号のゼロレベルを画面の同等な黒色に調節するために使用し、低階調出力レベルを調整する時主に使用する。画面に輝度調整パターンを表示して輝度及び色座標を調整する時、特定信号の発光比率が所定範囲に納まらず、色座標もスペックを満足しないで同等な黒／白色が表現されない場合に入力映像信号の輝度係数を調整してパネルの輝度と色座標を規格内に納めるように白色を合せる作業をいう。
【００２３】
この時、輝度係数調整部１００は外部調整信号を印加して輝度係数を一段階調節する場合にディザリングアルゴリズム（図２に例示するような空間拡散型の微少データ表現法）を適用して階調表現力を高める。つまり、外部調整信号を印加して輝度係数値が一段階変わる時に、２×２空間ディザリングアルゴリズムを適用してガンマ補正部２００の入力レベルを０．２５（４分の１ビット）ずつ変わるようにする。ここで、ディザリングアルゴリズムの適用は前記輝度係数調整部１００に含まれたディザリング部１１０によって遂行される。ディザリング部１１０の位置は、輝度係数調整部に含めず、別途に輝度係数調整部１００とガンマ補正部２００の間に位置でき、輝度係数調整部１００の出力値をディザリングアルゴリズムを適用して階調表現力を高める。
【００２４】
図２の（ａ）は、前記輝度係数調整部１００に入力される外部調整信号によって輝度係数が一段階ずつ変化する場合に、２×２空間ディザリングアルゴリズムを適用して作られた輝度分布の一例を示す図面である。ここで、図２（ａ）は入力映像信号が３４レベルである場合を、一例として示す。図２に示すように、入力映像信号が３４レベルで外部調整信号を印加して輝度係数値が一段階変化した場合、ディザリングアルゴリズムを適用して周りの画素に行別に３３、３４及び３４、３４として誤差拡散させ、ガンマ補正部２００の入力レベルを４画素平均輝度の３３．７５とする。そして、二段階変化した場合にはディザリングアルゴリズムを適用して周りの画素に行別に３４、３３及び３３、３４としてガンマ補正部２００の入力レベルを３３．５０とする。そして、三段階変化した場合にはディザリングアルゴリズムを適用して周りの画素に行別に３３、３４及び３３、３３としてガンマ補正部２００の入力レベルを３３．２５に変える。つまり、輝度係数値が一段階ずつ変わることによってガンマ補正部２００の入力レベルを０．２５ずつ変わるようにする。このように、本発明の実施例に用いるディザリングアルゴリズムは、原信号レベルの整数値の外に、小数データをも生じるが、この小数データを誤差と呼び、複数画素に適切な整数値を割り当てて、平均値として小数データを表現する作業を、誤差拡散と呼ぶ。
【００２５】
結果的に、前記輝度係数調整部１００はディザリングアルゴリズムの適用で入力の８ビット信号を１０ビットの信号に変換し、調整により生じた小数データを内挿させる。
【００２６】
以上、輝度係数調整部１００のディザリング部１１０が２×２空間ディザリングアルゴリズムを適用した場合について説明したが、その他の類似例として、Ｎ×Ｎ空間ディザリングアルゴリズムを適用するならば、入力レベルをガンマ補正部２００の入力レベル分解能より更に低いレベル単位で変化させて、更に精密に色座標調整できる。
【００２７】
この時、フレーム毎に図２（ａ）のようなディザリングアルゴリズムを異ならせて適用し、第１の垂直同期フレーム（１Ｖと表示）では水平方向の各行別（周りの画素を意味する）に３３、３４及び３４、３４に設定し、第２の垂直同期フレーム（２Ｖと表示）で水平方向の各行別に３４、３３及び３４、３４に設定する等、時系列的に周りの画素のレベル配分状態を循環変化させて一定のパターンが連続して出ることを防止できる。このように変化させないと、画面の特定位置に固定された雑音、いわゆる染みが現れ易い。また、変化の方法も、規則的変化よりは不規則的（雑音的）変化が好まれる傾向がある。
【００２８】
図２（ｂ）はディザリングアルゴリズムを適用した場合のガンマ補正部２００の出力レベルを示す図面あって、外部調整信号によって輝度係数が一段階ずつ変化した場合にガンマ補正部２００の出力レベルも０．２５ビットずつ変わることが分かる。
【００２９】
図３は図１に示した輝度係数調整部１００で外部調整信号によって輝度係数を一段階ずつ変化させた場合の色座標偏差を示す図表である。図３に示したように輝度係数調整部１００の輝度係数を一段階ずつ減少させた場合ガンマ補正部２００の入力レベルは０．２５ビットずつ減少し、延いては、ガンマ補正部２００の出力レベルも０．２５ビットずつ減少し、変化が一段階当たりの色座標偏差が±０．００５以内になることを確認できる。この時、図３に示す色座標（ｘ、ｙ）の単位は（１／１０００）である。
【００３０】
従って、本発明の実施例によれば、ディザリングアルゴリズムを輝度係数調整部１００に適用して輝度係数を一段階ずつ変化させた場合、色座標の偏差範囲が０．００５以内に納まって、色座標調整不可の不良率が減少するだけではなく、階調の微少変化に対する色表現力を高めることもできる。
【００３１】
再び図１に復帰すると、ガンマ補正部２００は輝度係数調整部１００によって輝度係数一段階ずつ増加／減少させて０．２５ビットずつ変化した入力レベル（階調）をガンマ補正して１０ビットの映像信号を１２ビットに変換し内挿補正する。この時、ガンマ補正部２００は映像の特性による映像ガンマとパネルの特性によるパネルガンマを全て含む。これにより入力レベルが０．２５ビットずつ変化した場合、図３に示すようにガンマ補正部２００の出力レベル（階調）も０．２５ビットずつ変化するが出力信号（階調）は１２ビットの映像信号となる。
【００３２】
コントラスト係数調整部３００は、ガンマ補正部２００から出力される映像信号データの出力レベルを、外部調整信号に従って利得変化させ、コントラスト係数を調整する。つまり、図６（ｂ）に示したように映像信号データの振幅を調整する。
【００３３】
ここで、コントラスト調整というのは、映像信号のコントラスト係数を調整してパネルの輝度と色座標を満足するように白色を合せる作業をいう。主に高階調の輝度と色座標調整時に使用する。この調整は、前記輝度調整を行なった後、入力映像信号の増幅度を設定したり、モニター画面上の出力光を安定水準に設定するために使用し、出力信号の低階調と高階調の間の比率を調整するために用いられる。また、画面に輝度調整パターンを表示して輝度及び色座標を調整する時、特定信号の発光比率が所定範囲に納まらず、色座標がスペックを満足しないで同等な黒／白色が表現されない場合にも行われる。
【００３４】
誤差拡散部４００はコントラスト係数調整部３００で調整された映像信号データ（１２ビット）に対して低階調表現力を向上させるために下位ビット（４ビット）を周辺画素に拡散させることによって誤差を適用して出力する。
【００３５】
メモリ制御部５００は誤差拡散部４００から出力されるＲＧＢ映像データに対応されるサブフィールドデータを生成する。
【００３６】
アドレス駆動部６００はメモリ制御部５００から出力されるサブフィールドデータに対応されるアドレスデータを生成してプラズマディスプレイパネル９００のアドレス電極（Ａ１、Ａ２、・・Ａｍ）に印加する。
【００３７】
維持・走査パルス駆動制御部７００は誤差拡散部４００から出力されるＲＧＢ映像データに対応されるサブフィールド配列構造を生成し、生成されたサブフィールド配列に基づく制御信号を生成して維持・走査パルス駆動部８００に出力する。
【００３８】
維持・走査パルス駆動部８００は維持・走査パルス駆動制御部７００から出力される制御信号によって対応される維持パルス及び走査パルスを生成してプラズマディスプレイパネル９００の走査電極（Ｘ１、Ｘ２、・・、Ｘｎ）と維持電極（Ｙ１、Ｙ２、・・、Ｙｎ）に印加する。
【００３９】
以上で本発明の好ましい実施例について詳細に説明したが本発明の権利範囲はこれに限定されることはなくて次の請求範囲で定義している本発明の基本概念を利用した当業者のいろいろな変形及び改良形態また、本発明の権利範囲に属することである。
【図面の簡単な説明】
【００４０】
【図１】本発明の実施例によるプラズマディスプレイパネルで色座標を微細に調整できるプラズマディスプレイパネルの駆動装置のブロック図である。
【図２】（ａ）は本発明の実施例による輝度係数調整部で外部調整信号によって輝度係数が一段階ずつ変化された場合２×２空間アルゴリズムを適用した一例を示す図面であり、（ｂ）はディザリングアルゴリズムを適用した場合のガンマ補正部の出力レベルを示す図である。
【図３】本発明の実施例による輝度係数調整部で外部調整信号によって輝度係数を一段階ずつ変化させた場合の色座標偏差を示す図である。
【図４】交流型プラズマディスプレイパネルの一部斜視図である。
【図５】従来のプラズマディスプレイパネルで色座標を調整する一部ロジックのブロック図を大略的に示す図である。
【図６】（ａ）は輝度係数調節の意味を示す図であり、（ｂ）はコントラスト係数調節の意味を示す図である。
【図７】従来の輝度係数調整部によって輝度係数を一段階ずつ増加／減少させてガンマ補正部の入力レベルを一段階ずつ変化させた時のガンマ補正部の出力データと色座標を示す図である。
【符号の説明】
【００４１】
１００  輝度係数調整部
２００  ガンマ補正部
３００  コントラスト係数調整部
４００  誤差拡散部
５００  メモリ制御部
６００  アドレス駆動部
７００  維持・走査パルス駆動制御部
８００  維持・走査パルス駆動部
【図１】
2005128534.tif 000003
【図２】
2005128534.tif 000004
【図３】
2005128534.tif 000005
【図４】
2005128534.tif 000006
【図５】
2005128534.tif 000007
【図６】
2005128534.tif 000008
【図７】
2005128534.tif 000009